【手続補正書】
【提出日】平成19年12月11日(2007.12.11)
【手続補正１】
【補正対象書類名】特許請求の範囲
【補正対象項目名】全文
【補正方法】変更
【補正の内容】
【特許請求の範囲】
【請求項１】
申込情報を入力してコード化された情報として出力する申込側装置と、コード化された申込情報を読み取り、申込情報を確認するための確認端末とを有する申込情報確認システムであって、
前記申込側装置は、
申込情報入力画面を表示する第１の表示手段と、
前記申込情報入力画面に申込情報を入力する第１の入力手段と、
前記第１の入力手段によって入力された申込情報を光学読取コードに変換する変換手段と、
前記変換手段によって変換された光学読取コードを記録媒体にプリントするプリンタと、
を備え、
前記申込情報入力画面に入力される申込情報ごとに、前記確認端末において表示の可否が決定される照合ＩＤが設定されており、
前記確認端末は、
前記記録媒体にプリントされた前記光学読取コードを読み取る光学読取手段と、
前記照合ＩＤを入力する第２の入力手段と、
前記光学読取手段によって読み取られた前記光学読取コードを復号して得られる申込情報から、前記第２の入力手段によって入力された前記照合ＩＤによって表示可能な申込情報を抽出して、抽出した申込情報を表示する第２の表示手段と、
を備えることを特徴とする申込情報確認システム。
【請求項２】
請求項１に記載の申込情報確認システムにおいて、
前記変換手段は、
前記第１の入力手段によって入力された申込情報の少なくとも一部を暗号化し、暗号化情報を含む申込情報を光学読取コードに変換し、
前記プリンタは、さらに、
暗号化された申込情報を記号又はマークによって記録媒体にプリントする、
ことを特徴とする申込情報確認システム。
【請求項３】
請求項１又は２に記載の申込情報確認システムにおいて、
前記確認端末は、さらに、
前記第２の入力手段によって入力された前記照合ＩＤによって前記第２の表示手段に表示された申込情報を一時登録する一時登録手段と、
複数の前記一時登録された申込情報を回収し、１件の申込情報にまとめて登録する登録手段と、
を備えることを特徴とする申込情報確認システム。
【請求項４】
申込情報を入力してコード化された情報として出力する申込側装置と、コード化された申込情報を読み取り、申込情報を確認するための確認端末とによる申込情報確認方法であって、
前記申込側装置により、
第１の表示手段に申込情報入力画面を表示する第１の表示ステップと、
前記申込情報入力画面に申込情報を入力する第１の入力ステップと、
前記第１の入力ステップによって入力された申込情報を光学読取コードに変換する変換ステップと、
前記変換ステップによって変換された光学読取コードを記録媒体にプリントするプリントステップと、
を備え、
前記申込情報入力画面に入力される申込情報ごとに、前記確認端末において表示の可否が決定される照合ＩＤが設定されており、
前記確認端末により、
前記記録媒体にプリントされた前記光学読取コードを読み取る光学読取ステップと、
前記照合ＩＤを入力する第２の入力ステップと、
前記光学読取ステップによって読み取られた前記光学読取コードを復号して得られる申込情報から、前記第２の入力ステップによって入力された前記照合ＩＤによって表示可能な申込情報を抽出して、抽出した申込情報を第２の表示手段に表示する第２の表示ステップと、
前記第２の表示ステップによって表示された前記抽出された申込情報を、記憶部に一時登録する一時登録ステップと、
複数の前記一時登録された申込情報を回収し、１件の申込情報にまとめて、記憶部に登録する登録ステップと、
を備えることを特徴とする申込情報確認方法。
【手続補正２】
【補正対象書類名】明細書
【補正対象項目名】発明の名称
【補正方法】変更
【補正の内容】
【発明の名称】申込情報確認システム及び申込情報確認方法
【手続補正３】
【補正対象書類名】明細書
【補正対象項目名】０００１
【補正方法】変更
【補正の内容】
【０００１】
本発明は、電子フォームによる申込情報入力画面を提供し、送付途中の情報を漏洩から護り、受け取った入力情報を安全に登録する申込情報確認システム及び申込情報確認方法に関する。
【手続補正４】
【補正対象書類名】明細書
【補正対象項目名】０００６
【補正方法】変更
【補正の内容】
【０００６】
上記課題を解決するために、請求項１に記載の発明は、申込情報を入力してコード化された情報として出力する申込側装置と、コード化された申込情報を読み取り、申込情報を確認するための確認端末とを有する申込情報確認システムであって、前記申込側装置は、申込情報入力画面を表示する第１の表示手段と、前記申込情報入力画面に申込情報を入力する第１の入力手段と、前記第１の入力手段によって入力された申込情報を光学読取コードに変換する変換手段と、前記変換手段によって変換された光学読取コードを記録媒体にプリントするプリンタと、を備え、前記申込情報入力画面に入力される申込情報ごとに、前記確認端末において表示の可否が決定される照合ＩＤが設定されており、前記確認端末は、前記記録媒体にプリントされた前記光学読取コードを読み取る光学読取手段と、前記照合ＩＤを入力する第２の入力手段と、前記光学読取手段によって読み取られた前記光学読取コードを復号して得られる申込情報から、前記第２の入力手段によって入力された前記照合ＩＤによって表示可能な申込情報を抽出して、抽出した申込情報を表示する第２の表示手段と、を備えることを特徴とするものである。
【手続補正５】
【補正対象書類名】明細書
【補正対象項目名】０００７
【補正方法】変更
【補正の内容】
【０００７】
また、請求項２に記載の発明は、請求項１に記載の申込情報確認システムにおいて、前記変換手段は、前記第１の入力手段によって入力された申込情報の少なくとも一部を暗号化し、暗号化情報を含む申込情報を光学読取コードに変換し、前記プリンタは、さらに、暗号化された申込情報を記号又はマークによって記録媒体にプリントする、ことを特徴とするものである。
【手続補正６】
【補正対象書類名】明細書
【補正対象項目名】０００８
【補正方法】変更
【補正の内容】
【０００８】
また、請求項３に記載の発明は、請求項１又は２に記載の申込情報確認システムにおいて、前記確認端末は、さらに、前記第２の入力手段によって入力された前記照合ＩＤによって前記第２の表示手段に表示された申込情報を一時登録する一時登録手段と、複数の前記一時登録された申込情報を回収し、１件の申込情報にまとめて登録する登録手段と、を備えることを特徴とするものである。
【手続補正７】
【補正対象書類名】明細書
【補正対象項目名】０００９
【補正方法】変更
【補正の内容】
【０００９】
また、請求項４に記載の発明は、申込情報を入力してコード化された情報として出力する申込側装置と、コード化された申込情報を読み取り、申込情報を確認するための確認端末とによる申込情報確認方法であって、前記申込側装置により、第１の表示手段に申込情報入力画面を表示する第１の表示ステップと、前記申込情報入力画面に申込情報を入力する第１の入力ステップと、前記第１の入力ステップによって入力された申込情報を光学読取コードに変換する変換ステップと、前記変換ステップによって変換された光学読取コードを記録媒体にプリントするプリントステップと、を備え、前記申込情報入力画面に入力される申込情報ごとに、前記確認端末において表示の可否が決定される照合ＩＤが設定されており、前記確認端末により、前記記録媒体にプリントされた前記光学読取コードを読み取る光学読取ステップと、前記照合ＩＤを入力する第２の入力ステップと、前記光学読取ステップによって読み取られた前記光学読取コードを復号して得られる申込情報から、前記第２の入力ステップによって入力された前記照合ＩＤによって表示可能な申込情報を抽出して、抽出した申込情報を第２の表示手段に表示する第２の表示ステップと、前記第２の表示ステップによって表示された前記抽出された申込情報を、記憶部に一時登録する一時登録ステップと、複数の前記一時登録された申込情報を回収し、１件の申込情報にまとめて、記憶部に登録する登録ステップと、を備えることを特徴とするものである。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
本発明によれば、以下のような効果がある。
１）申込側装置は、申込情報入力画面を表示して申込情報を入力し、入力した申込情報を光学読取コードに変換して記録媒体にプリントする。そして、確認端末の光学読取手段によって記録媒体の光学読取コードを読み取って申込情報を復号し、入力手段によって入力した照合ＩＤによって表示可能な申込情報を抽出し、抽出した申込情報を表示する構成とすることによって、申込側装置では、申込情報を安全に送付することができ、申込情報を受け取った側では確認端末に入力した照合ＩＤによって抽出した申込情報のみを表示するために、確認作業に入る前に照合が行われ限定された確認者のみが確認作業をすることができ、プライバシー情報がまとまって流出することがない。
２）また、申込情報の少なくとも一部を暗号化して暗号化情報を含む申込情報を光学読取コードに変換し、暗号化された申込情報を記号又はマークによってプリントすることによって、送付途中でプライバシー情報が漏洩し悪用されることがない。
３）また、確認端末に入力した照合ＩＤによって表示した申込情報を一時登録し、複数の一時登録された申込情報を回収し、１件の申込情報にまとめて登録することができる。
【手続補正１０】
【補正対象書類名】明細書
【補正対象項目名】００１３
【補正方法】変更
【補正の内容】
【００１３】
図１を参照して、本発明の申込書の申し込み・登録方法を実行するための装置について説明する。
まず、クレジットカードの会員申込書の申込情報入力画面を提供するクレジットカード会社、または、関連する会社の登録側装置１００として、サーバ１，複数の確認端末１２，確認端末に接続された光学読取装置１３（以下、撮像装置という。）が準備される。
サーバ１は、インターネットを介して入力端末の表示部に申込情報入力画面を配信する。
一方、確認端末１２に接続された撮像装置１３は、郵便や、配送サービス等の送付手段（以下、単に郵送という。）によって届けられた申込書の光学読取コード（以下、二次元コードという。）を読み取って、確認端末で照合されるべきＩＤ（確認端末照合ＩＤ），申込書入力画面フォーマットの画面コード，申込情報等の情報を確認端末１２に送信する。
確認端末１２の入力手段は、初期画面（図示せず）に表示された所定の入力枠に数字やアルファベットで構成された「ＩＤ」を入力する。前述の確認端末で照合されるべきＩＤと一致していることを確認して画面コードによる画面フォーマット表示ステップに移る。
画面コードによって、確認端末１２またはその上位機種の記憶部に格納されている申込書入力画面フォーマットデータを読み出し、確認端末の表示部に表示する。
次に、入力された申込情報を各表示枠に表示し、暗号化された申込情報の一部を秘密鍵によって復号し画面の表示枠に文字情報として表示する。
【手続補正１１】
【補正対象書類名】明細書
【補正対象項目名】００１６
【補正方法】変更
【補正の内容】
【００１６】
また、電話番号入力枠２０３，メールアドレス入力枠２０４，暗証番号入力枠２０５，引落し口座情報入力枠２０８には、登録側装置のどの確認端末に対して文字情報として表示するか、また、それを決定するためのＩＤ（確認端末照合ＩＤ）と、確認端末で照合されるために呼び出されるプログラムのプログラムコード等が組み込まれている。
更に、入力終了ボタン２０９を押すと、ボタンに組み込まれたプログラムによって各入力枠に入力された申込情報，照合されるべきＩＤ情報，画面コードなどは、全て暗号化され、二次元コードに変換される。
【手続補正１２】
【補正対象書類名】明細書
【補正対象項目名】００２１
【補正方法】変更
【補正の内容】
【００２１】
図５，図６を参照して、登録側の確認端末に表示された申込者の申込情報の一例について説明する。
確認端末に接続された撮像装置は、郵送によって届けられた申込書の二次元コードを読み取って、確認端末で照合されるべきＩＤ（確認端末照合ＩＤ），申込書入力画面フォーマットの画面コード，申込情報等の情報を確認端末に送信する。
確認端末の入力手段は、初期画面（図示せず）に表示された所定の入力枠に数字やアルファベットで構成された「ＩＤ」を入力する。
確認端末の入力手段によって入力されたＩＤと、二次元コードに含まれていたＩＤと一致していることが確認されると画面コードによって画面フォーマットが読み出されて確認端末の表示部に表示される。
確認端末の入力手段によって入力開始ボタン２０９が押されると、照合されたＩＤによって、例えば、図５に示す確認端末の表示画面に示すように、氏名表示枠２０１，住所表示枠２０２，暗証番号入力枠２０５，引落し口座情報入力枠２０８の銀行名，支店名は文字情報で表示され、それ以外の入力枠に入力された情報は「＊」で表示される。
一方、図５で説明したと同様のステップを経て、他の確認端末の入力開始ボタン２０９が押されると、照合されたＩＤによって、図６に示す確認端末の表示画面に切り替わる。
即ち、氏名表示枠２０１，住所表示枠２０２，電話番号表示枠２０３，メールアドレス表示枠２０４，引落し口座情報入力枠２０８の口座番号表示枠は文字情報でが表示され、それ以外の入力枠に入力された情報は「＊」で表示される。
このように、入力開始ボタン２０９を押すことによって、入力開始ボタンに組み込まれたプログラムが、指定表示枠の申込情報を復号する。